(57)【要約】【課題】  患者が医療従事者の助けを借りずに制御する可動式手すり（１、２）であって、細長形状部（５）から成る。【解決手段】  この細長形状部（５）は、ベッド（３）の荷重面下部の空間に細長形状部（５）を挿入し、かつそこから細長形状部（５）を引き出すためのガイド（４）に設置される。さらに、細長形状部（５）は、ベッド（３）の荷重面下の空間から引き出された後、実質的に垂直の位置に位置決めするために配置され、この位置に固定させるための係止装置（１３）を装備する。【選択図】図１
2008521456.tif 000002
【特許請求の範囲】
【請求項１】
患者が医療従事者の助けを借りずに制御可能な可動式手すり（１、２）であって、細長形状部（５）から成り、前記細長形状部（５）は、ベッド（３）の荷重面下部の空間に前記細長形状部（５）を挿入し、かつそこから前記細長形状部（５）を引き出すためのガイド（４）に設置され、さらに前記細長形状部（５）は、前記ベッド（３）の荷重面下の空間から引き出された後、実質的に垂直の位置に位置決めするために配置され、かつこの位置に固定させるための係止装置（１３）を装備し、
前記細長形状部（５）は、その全長に沿って前記ガイド（４）に伸縮自在に挿入可能およびそこから引き出し可能であり、前記細長形状部（５）の底部（９）には前記細長形状部（５）の軸方向軸の方向に方向付けられた長手方向開口部（１５）があり、前記長手方向開口部（１５）をピボット（１４）が通り、前記ピボット（１４）は前記細長形状部（５）をその内側部（１６）に回転可能に接続し、前記細長形状部（５）の前記内側部（１６）は前記細長形状部（５）の伸長後、前記ガイド（４）に留まり、一方前記係止装置（１３）は、前記細長形状部（５）が引き出されて実質的に垂直の位置に設定され、それによりこの位置に固定させた後に、前記細長形状部（５）の前記底部（９）を受けるための係止空間（８）から成ること
を特徴とする、可動式手すり（１、２）。
【請求項２】
前記細長形状部（５）は、前記ベッド（３）から起き上がるときに患者の体を支えるようにその長手方向軸に実質的に垂直なホルダ（６）を装備することを特徴とする、請求項１に記載の可動式手すり（１、２）。
【請求項３】
前記ベッド（３）の荷重面の高さを設定するためのサーボ駆動のドライバ（７）は、前記ホルダ（６）上の、好ましくは前記ホルダ（６）を握っているときの患者の親指の当たる位置に位置することを特徴とする、請求項１または２に記載の可動式手すり（１、２）。
【請求項４】
前記ガイド（４）は前記ベッド（３）の荷重面の底部に搭載されることを特徴とする、先行請求項の少なくも２つに記載の可動式手すり（１、２）。
【請求項５】
前記ガイド（４）は、好ましくは前記細長形状部の横断面に対応する横断面を有するスリーブにより形成されることを特徴とする、先行請求項の少なくも２つに記載の可動式手すり（１、２）。
【請求項６】
前記細長形状部（５）は、食事台用という利点を有する台（１１）を留める固定具（１０）を装備することを特徴とする、先行請求項の少なくも２つに記載の可動式手すり（１、２）。
【請求項７】
前記ベッド（３）の少なくとも１つの側部（１２）に、少なくとも１本の可動式手すり（１、２）が設置されることを特徴とする、先行請求項の少なくも２つに記載の可動式手すり（１、２）を備えるベッド（３）、特に病院用ベッド。
【請求項８】
少なくとも１つの前記側部（１２）に１対の前記可動式手すり（１、２）が設置されることを特徴とする、請求項７に記載のベッド（３）。
【発明の詳細な説明】
【技術分野】
【０００１】
本発明は、患者が病院スタッフの助けを借りずに制御する可動式手すり、および非機能位置にあるときはベッドの荷重面下に隠れるこの可動式手すりを装備するベッドに関する。
【背景技術】
【０００２】
病院施設、社会的介護および高齢者介護、または場合により在宅患者介護用に指定される今日までのところ公知の標準的なベッドの大部分は、可動式手すりを装備していない。ベッドが手すりを装備している場合、その手すりの配置は、患者が一人で手すりを制御できないという事実において実質的に欠陥を有する。これは、前述の手すりがそれから期待できる機能、すなわち病院スタッフの介助を必要としないという機能を果たしていないということである。このように設計された手すりは、患者がベッドを離れるとき、病院スタッフのいかなる介助も受けないで一人で起き上がること、および自分の足で立ち上がることができるようにすることで、患者の移動に役立つわけではない。
【発明の開示】
【発明が解決しようとする課題】
【０００３】
上述の概略の不利益は、本発明による可動式手すりによって解消される。この可動式手すりを、病院職員のいかなる介助も受けずに患者が自ら制御する。可動式手すりは細長形状部から成る。本発明の中心はガイドに設置された細長形状部に基づくものであり、このガイドにより、細長形状部はベッドの荷重面下の空間に摺動して出入りすることができる。細長形状部がベッドの荷重面下部の空間から摺動して出た位置にあるとき、この細長形状部はほぼ垂直の位置に回転され設定される。細長形状部はその後、係止具によりこの位置に固定される。
【０００４】
細長形状部は、その長手方向軸に実質的に垂直なハンドルに装着されると有利である。これは起き上がろうとしている患者にとって、支えとしての役割を果たす。
【０００５】
可動式手すりは、ベッドの荷重面の高さを調節するためのサーボ駆動制御を備え、このサーボ駆動制御は、患者がハンドルを握っているときにハンドル上の患者の親指が当たる位置に位置付けられて、有利に構成される。
【０００６】
他の有益な種類の可動式手すりは、ベッドの荷重面底部に取り付けられたガイドを有する。
【０００７】
この可動式手すりは、細長形状部の横断面にほぼ対応する横断面を有するケーシングによって簡単に形成された、それ自身のガイドを有することができる。
【０００８】
この可動式手すりは、有利なことにその垂直の位置に細長形状部のための簡単な係止具を装備する。この係止具はケーシングの一部であることもできる空間で構成され、細長形状部を垂直の位置に設定すると、その細長形状部の底部がその空間内に係止される。
【０００９】
可動式手すりの変形の１つは、台のための固定具を、有利なことにはその目的のためにベッド頭部を使用する食事台のための固定具を備え付けたそれ自身の細長形状部を特徴とする。
【課題を解決するための手段】
【００１０】
提示した本発明の主題はまた、ベッド、主として少なくともその片側に可動式手すりを装備する病院用ベッドである。
【００１１】
上述のベッドが少なくとも片側に１対の可動式手すりを装備する場合、より有利である。
【発明を実施するための最良の形態】
【００１２】
本発明を図面においてより詳細に説明する。
【００１３】
ベッドの平らな荷重面と、ほぼ垂直の位置に位置決めされて係止された可動式手すり１および可動式手すり２とを備えるベッド１は、図１に不等角投影図で示す。図１に示す可動式手すり１および可動式手すり２は、細長形状部５の上に位置するホルダ６を装備し、患者がベッド３から起き上がるための支えとなる。図２には、平らな荷重面と、やはり垂直の位置に係止された可動式手すり１および可動式手すり２を備える同じベッド３の側面図を示す。説明のために、図２は、患者の個人的選択によってベッドの荷重面を低、中、および高の位置に設定できるベッド３の設計を図式的に示す。図３は、平らな荷重面を備え、細長形状部５から成る２本の可動式手すり１および可動式手すり２を装備するベッド３の右側１２から、患者が起き上がろうとしている図を表す。静止状態において、細長形状部５はピボット１４によりその内側部１６に回転可能に接続され、この場合においてそれらは、図６ａ、図６ｂ、図６ｃ、および図６ｄに見られるように、スリーブとして作られたガイド４に伸縮自在に挿入される。可動式手すり１は、図６ａでは完全に挿入された位置で示され、一方、図６ｂでは、可動式手すり１はガイド４から突出し、ピボット１４の周りを垂直の位置まで回転する準備ができている。ガイド４またはスリーブまたは他の構成要素は、細長形状部５およびその内側部１６をその軸方向軸方向へと可逆運動させ、ベッド３の荷重面下に位置する。患者自身は、他者のいかなる助けも借りずに、可動式手すり１および可動式手すり２をスリーブからベッド３の輪郭の向こう側の位置へと取り出し、それらを垂直の位置まで傾けて係止装置１３により係止することができるが、このことは図６ｃおよび図６ｄから明白である。係止装置１３は、細長形状部５の底部９、およびガイド４の一部であることもできる係止空間８により形成される。細長形状部の底部９には、細長形状部５の軸方向軸の方向に方向付けられた長手方向開口部１５があり、細長形状部５の内側部１６により支持されたピボット１４がそこを通り、細長形状部５の伸長後はガイド４内に留まって、例えばバックストップなどによりガイド４内の細長形状部５の端部位置は制限され、ガイド４から細長形状部５が完全に伸長するのを防ぐ。可動式手すり１および可動式手すり２、または細長形状部５は、伸長した後ピボット１４の周りを垂直の位置まで回転し、その後、係止空間８までの下向き方向の軸方向移動により底部９が挿入される。この運動は、長手方向開口部１５により容易になる。係止空間８は細長形状部５の底部９を包囲し、それによりこれを所与の位置に固定する。可動式手すり１および可動式手すり２、または細長形状部５は挿入中に、ベッドの荷重面下のガイド４の方に後退してその軸方向に持ち上げられ、ピボット１４の周りに傾いてガイド４に摺動して入る。
【００１４】
可動式手すり１および可動式手すり２の作動中に、ベッド３の荷重面のフレームが例えば低の位置で、その背部が上方位置に持ち上げられると、それはベッド３から離れるには好適な位置であり、患者はまず可動式手すり１および可動式手すり２を操作する。患者は起き上がってベッド３から両脚を下ろした後、次に、都合の良いことにはベッド３の下、患者の大腿部を載せている部分の下に位置する可動式手すり１および可動式手すり２を持ち上げる。起き上がるとき、患者は、可動式手すり１および可動式手すり２の上端部に位置するホルダ６に寄り掛かることができる。ホルダ６の端部、患者の親指の反対側にはドライバ７が位置し、それにより患者はサーボ駆動を制御して、図２および図３に示すように患者が楽に起き上がれるような高さにベッド３の荷重面を設定することができる。
【００１５】
可動式手すり１および可動式手すり２は、ベッド３の両側１２に、図１、図２、図４および図５に示すように荷重面の堅固な部分の両側、および荷重面の大腿部両側から、全部で２対が位置することができる。または、図３に示すように、可動式手すり１および可動式手すり２は、ベッド３の片側だけに固定することもできる。２対が装着された場合、患者はベッド３の両側から起き上がることができ、１対しか使用しない場合、患者はベッド３からその片側へしか起き上がることはできない。
【００１６】
しかしながら、可動式手すり１および可動式手すり２は、さらに別の機能を果たすことができ、そのためには、全部で４本の可動式手すり１および可動式手すり２を固定する必要がある。これら４本の可動式手すりは、ベッド３の頭部により形成される食事台１１をベッドの荷重面の堅固な部分にある２本の対向する可動式手すり１および可動式手すり２に挿入することにより、ベッド３の右に食事台１１を設置することができる。このように食事台１１は、ベッド３の標準部品である構成要素を使用することにより、患者のすぐ隣に作成される。図７は、可動式手すり１および可動式手すり２の固定具１０に挿入された食事台１１の詳細を示す。ここでは、固定具１０は溝の形で実現されている。図８は、患者がサーボ駆動を制御するためのドライバ７の詳細、およびその場合におけるベッドの荷重面の高さを示す。
【産業上の利用可能性】
【００１７】
提示した本発明は、病院施設、将来的には社会的介護および高齢者介護用にさえ指定される、従来にない可動式手すりの実現を表す。病院の領域では、標準的な病棟での利用が主になると想定される。他の部門でのこれらの手すりの利用可能性は、私立の療養所もしくはクリニック、老人ホーム、社会的介護施設、および社会的介護もしくは高齢者介護、または患者の在宅介護のための他の機関で使用されるベッドが推定される。提示した本発明による可動式手すり１および可動式手すり２により、ベッドから安全かつ快適に起き上がること、再び座ること、および体を横たえることができ、それにより患者の自立を高める。
【図面の簡単な説明】
【００１８】
【図１】垂直の位置に設定した可動式手すりを備え、ベッドの荷重面が真っ直ぐなベッドの不等角投影図を示す。
【図２】垂直の位置に設定した可動式手すりを備え、患者の個人的選択によりベッドの荷重面を低、中、および高の高さに設定可能である、ベッドの荷重面が真っ直ぐなベッドの側面図を示す。
【図３】２本の可動式手すりを装備したベッドの右側から、患者が起き上がろうとしている図を示す。
【図４】ベッドの荷重面が連結式で、かつ食事台が挿入された状態のベッドの不等角投影図を示す。
【図５】食事台が２本の可動式手すりに挿入され、ベッドの荷重面が連結式のベッドの側面図を示す。
【図６ａ】ベッドの荷重面下のガイドに摺動して入った位置にある可動式手すりの詳細を示す。
【図６ｂ】ガイドから摺動して出た状態の可動式手すりを示す。
【図６ｃ】係止する前の、機能位置に設定された可動式手すりの位置を示す。
【図６ｄ】係止した後の、機能位置に設定された可動式手すりの位置を示す。
【図７】可動式手すりの固定具に挿入された食事台の詳細を示す。
【図８】患者がベッドの荷重面の高さを調節するのに役立つ、可動式手すりのハンドル上に設置されるスイッチの詳細を示す。
【図１】
2008521456.tif 000003
【図２】
2008521456.tif 000004
【図３】
2008521456.tif 000005
【図４】
2008521456.tif 000006
【図５】
2008521456.tif 000007
【図６ａ】
2008521456.tif 000008
【図６ｂ】
2008521456.tif 000009
【図６ｃ】
2008521456.tif 000010
【図６ｄ】
2008521456.tif 000011
【図７】
2008521456.tif 000012
【図８】
2008521456.tif 000013
【国際調査報告】
2008521456.tif 000014
2008521456.tif 000015